(57)【要約】【課題】動力伝達機構の伝達解除操作を行うことなく、直接操作ノブを操作でき、常時は動力伝達機構と非接続状態とし、搬送停止時にのみ接続状態とすることができるようにする。【解決手段】上記課題を解決するために本発明の被記録材の取出し装置１は、搬送用駆動ローラ１９ａの回転を歯車輪列３０を介して排出用ローラ２０に伝達する動力伝達機構３１を利用し、更に所定の方向に回転させた場合にのみ動力伝達機構３１に力が伝達される操作ノブ３２と、操作ノブ３２の回転を動力伝達機構３１に伝える遊星機構３３とを備えており、前記操作ノブ３２は動力伝達機構３１の伝達解除操作を行うことなく操作できるようにした。【選択図】図５
2005212944.tif 000002
【特許請求の範囲】
【請求項１】
被記録材が搬送トラブルによって搬送経路内で停止した場合において、当該被記録材を搬送経路外へ排出するに当たり、搬送用駆動ローラの回転を歯車輪列を介して排出用ローラに伝達する動力伝達機構を利用して行う被記録材の取出し装置であって、
所定の方向に回転させた場合にのみ、動力伝達機構に力が伝達される操作ノブと、操作ノブの回転を前記動力伝達機構に伝える遊星機構とを備えることによって構成されており、前記操作ノブは動力伝達機構の伝達解除操作を行うことなく操作できるようにしたことを特徴とする被記録材の取出し装置。
【請求項２】
請求項１において、前記遊星機構は搬送動作時には動力伝達機構に対して非接続状態になり、動力伝達機構にはモータからの動力が伝達され、一方、搬送停止時には動力伝達機構に対して接続状態になり、動力伝達機構には操作ノブから力が伝達されるように構成されていることを特徴とする被記録材の取出し装置。
【請求項３】
請求項１または２において、前記遊星機構は操作ノブの回転軸に操作ノブと一体に回転するように設けられる取出し駆動ギヤと、操作ノブの回転軸に対して嵌合し、回動する回動アームと、回動アームの自由端側において所定の圧接力が付加された状態で遊転自在に設けられ、前記取出し駆動ギヤに対しては常時噛み合うと共に前記動力伝達機構に対しては搬送動作時と搬送停止時とで非接続、接続状態を切り換える遊星ギヤとを備えていることを特徴とする被記録材の取出し装置。
【請求項４】
請求項１〜３のいずれか１項において、前記操作ノブは常時は排出ユニットと一体の蓋部によって被覆された状態にあり、搬送停止時において蓋部を取り外すことによって露出し、操作可能状態となることを特徴とする被記録材の検出装置。
【請求項５】
被記録材が搬送トラブルによって搬送経路内で停止した場合において、当該被記録材を搬送経路外へ排出するに当たり、搬送用駆動ローラの回転を歯車輪列を介して排出用ローラに伝達する動力伝達機構を利用して行う被記録材の取出し装置を備える記録装置であって、
前記被記録材の取出し装置は請求項１〜４のいずれか１項に記載の被記録材の取出し装置であることを特徴とする記録装置。
【請求項６】
被液体噴射材が搬送トラブルによって搬送経路内で停止した場合において、当該被液体噴射材を搬送経路外へ排出するに当たり、搬送用駆動ローラの回転を歯車輪列を介して排出用ローラに伝達する動力伝達機構を利用して行う被液体噴射材の取出し装置を備える液体噴射装置であって、
前記被液体噴射材の取出し装置は、所定の方向に回転させた場合にのみ、動力伝達機構に力が伝達される操作ノブと、操作ノブの回転を前記動力伝達機構に伝える遊星機構とを備えることによって構成されており、前記操作ノブは動力伝達機構の伝達解除操作を行うことなく操作できるようにしたことを特徴とする液体噴射装置。
【発明の詳細な説明】
【技術分野】
【０００１】
本発明は、被記録材が搬送トラブルによって搬送経路内で停止した場合において、当該被記録材を搬送経路外へ排出するに当たり、搬送用駆動ローラの回転を歯車輪列を介して排出用ローラに伝達する動力伝達機構を利用して行う被記録材の取出し装置及び該取出し装置を備えた記録装置に関する。
【０００２】
更に本発明はインク等の液体をそのヘッドから吐出（噴射）して被記録材（被液体噴射材）に記録を実行する（液体を付着する）インクジェット式記録装置などの液体噴射装置及び該液体噴射装置において設けられる被液体噴射材の取出し装置に関するものである。
【０００３】
ここで液体噴射装置とは、インクジェット式記録ヘッドが用いられ、該記録ヘッドからインクを吐出して被記録材に記録を行なうプリンタ、複写機およびファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００５】
以下、インクジェット式記録装置あるいは液体噴射装置の一例としてインクジェットプリンタを採り上げて説明する。用紙が搬送トラブルによって搬送経路内で停止した場合には、下記特許文献１に示すように従来は搬送用駆動ローラの回転を歯車輪列を介して排出用ローラに伝達する動力伝達機構における伝達解除操作を行い、操作ノブを上下ないし前後に回転させることによって停止した用紙を外部に排出させていた。また操作ノブは外部に露出した状態で設けられていた。
【０００６】
従って操作ノブを操作するに先立って動力伝達機構の伝達解除という煩わしい予備操作が必要となっていた。また操作ノブの回転方向によって動力伝達機構の通常の回転方向とは逆の方向に動力伝達機構を回転させることが可能であったため、予定外の方向への用紙の排出に伴って、用紙の詰まりを更に頑強にしたり、搬送経路や動力伝達機構を損傷させる等の不具合を生じさせていた。また操作ノブが常時、露出していることに因み、通常の搬送動作中に誤って操作ノブを操作するおそれもあり、その場合、動力伝達機構を損傷させる等の不具合を生じさせる。
【０００７】
一方、操作ノブを常時動力伝達機構に接続させておくことも考えられるが、その場合には動力伝達機構に常時操作ノブを回転させるだけの余分な負荷が掛かり、消費電力の増大や動力伝達機構及び駆動源であるモータの消耗を早めることとなる。また操作ノブを常時回転させることに伴って、異音が生じたり、騒音が大きくなることも想定される。
【０００８】
【特許文献１】特開平７−２０５５０１号公報
【発明の開示】
【発明が解決しようとする課題】
【０００９】
そこで本発明は、このような背景技術、背景技術が抱える問題点を踏まえてなされたものであって、操作ノブを操作するに先立って行なわれていた動力伝達機構の伝達解除操作を不要とし、しかも操作ノブを常時は動力伝達機構と非接続状態とし、搬送停止時にのみ接続状態とすることで、動力伝達機構に掛かる負担を軽減でき、操作ノブの逆方向操作に伴う不具合を介渉し、操作ノブの搬送動作中における誤操作も防止できる操作性に優れる被記録材の取出し装置及び該取出し装置を備えた記録装置等を提供することを課題とするものである。
【課題を解決するための手段】
【００１０】
上記課題を解決するために本発明の第１の態様に係る被記録材の取出し装置は、被記録材が搬送トラブルによって搬送経路内で停止した場合において、当該被記録材を搬送経路外へ排出するに当たり、搬送用駆動ローラの回転を歯車輪列を介して排出用ローラに伝達する動力伝達機構を利用して行う被記録材の取出し装置であって、前記被記録材の取出し装置は、所定の方向に回転させた場合にのみ、動力伝達機構に力が伝達される操作ノブと、操作ノブの回転を前記動力伝達機構に伝える遊星機構とを備えることによって構成されており、前記操作ノブは動力伝達機構の伝達解除操作を行うことなく操作できるようにしたことを特徴とするものである。
【００１１】
本発明の第１の態様によれば、操作ノブの動作方向は一方向のみであり、これと逆の方向に回転させても動力伝達機構には力が伝達されないため、逆方向操作に伴う不具合は生じない。また遊星機構の採用によって操作ノブの操作は動力伝達機構の伝達解除操作を予め行わなくても、直接行うことが可能となり、操作性が向上する。
【００１２】
本発明の第２の態様に係る被記録材の取出し装置は、第１の態様において、前記遊星機構は搬送動作時には動力伝達機構に対して非接続状態になり、動力伝達機構にはモータからの動力が伝達され、一方、搬送停止時には動力伝達機構に対して接続状態になり、動力伝達機構には操作ノブから力が伝達されるように構成されていることを特徴とするものである。  
本発明の第２の態様によれば、遊星機構は搬送動作時には動力伝達機構に対して非接続状態であるから、駆動源であるモータや動力伝達機構に余分な負荷は掛からず、消費電力の軽減、寿命の長大化及び異音や騒音の低減に寄与し得る。また、搬送停止時には操作ノブの回転が動力伝達機構に伝わるから、停止した被記録材の排出が円滑に実行される。
【００１３】
本発明の第３の態様に係る被記録材の取出し装置は、第１または第２の態様において、前記遊星機構は操作ノブの回転軸に操作ノブと一体に回転するように設けられる取出し駆動ギヤと、操作ノブの回転軸に対して嵌合し、回動する回動アームと、回動アームの自由端側において所定の圧接力が付加された状態で遊転自在に設けられ、前記取出し駆動ギヤに対しては常時噛み合うと共に前記動力伝達機構に対しては搬送動作時と搬送停止時とで非接続、接続状態を切り換える遊星ギヤとを備えていることを特徴とするものである。
【００１４】
本発明の第３の態様によれば、比較的簡単な構造によって遊星機構を構成でき、また動力伝達機構側から動力が伝わるか、操作ノブ側から力が伝わるかによって、回動アームが異なる方向に回動するようになって遊星ギヤの非接続状態及び接続状態を自動的に切り換えることが可能となる。
【００１５】
尚、操作ノブの軸上に所定の圧接力を付加することで、遊星回転アームの自重による回転モーメントによって、操作ノブの姿勢が不安定になるのを防止することが可能となり、もって搬送動作時の異音発生を防止することができる。
【００１６】
本発明の第４の態様に係る被記録材の取出し装置は、第１〜第３のいずれか１つの態様において、前記操作ノブは常時は排出ユニットと一体の蓋部によって被覆された状態にあり、搬送停止時において蓋部を取り外すことによって露出し、操作可能状態となること特徴とするものである。  
本発明の第４の態様によれば、被記録材の手動操作による取り出しが必要となる搬送停止時にのみ蓋部を取り外して操作ノブを操作することになるから操作ノブの誤操作を防止でき、操作ノブの誤操作によって生ずる動力伝達機構等の損傷を未然に防止できる。
【００１７】
本発明の第５の態様に係る記録装置は、被記録材が搬送トラブルによって搬送経路内で停止した場合において、当該被記録材を搬送経路外へ排出するに当たり、搬送用駆動ローラの回転を歯車輪列を介して排出用ローラに伝達する動力伝達機構を利用して行う被記録材の取出し装置を備える記録装置であって、前記被記録材の取出し装置は第１〜第４のいずれか１つの態様の被記録材の取出し装置であることを特徴とするものである。
【００１８】
本発明の第５の態様によれば、操作ノブを操作するのに先立って行なわれていた動力伝達機構の伝達解除操作を不要とし、しかも操作ノブを常時は動力伝達機構と非接続状態とし、搬送停止時にのみ接続状態とすることで動力伝達機構に掛かる負担を軽減でき、操作ノブの逆方向操作に伴う不具合を介渉し、操作ノブの搬送動作中における誤操作も防止できる操作性に優れる被記録材の取出し装置を備えた記録装置を提供することが可能となる。
【００１９】
本発明の第６の態様に係る液体噴射装置は、被液体噴射材が搬送トラブルによって搬送経路内で停止した場合において、当該被液体噴射材を搬送経路外へ排出するに当たり、搬送用駆動ローラの回転を歯車輪列を介して排出用ローラに伝達する動力伝達機構を利用して行う被液体噴射材の取出し装置を備える液体噴射装置であって、前記被液体噴射材の取出し装置は、所定の方向に回転させた場合にのみ、動力伝達機構に力が伝達される操作ノブと、操作ノブの回転を前記動力伝達機構に伝える遊星機構とを備えることによって構成されており、前記操作ノブは動力伝達機構の伝達解除操作を行うことなく操作できるようにしたことを特徴とするものである。
【発明を実施するための最良の形態】
【００２０】
以下、本願発明に係る被記録材の取出し装置及び該取出し装置を備えた液体噴射装置の一例である記録装置について説明する。最初に記録装置を実施するための最良の形態としてインクジェットプリンタを採り上げて、その全体構成の概略を図面に基づいて説明する。図１はインクジェットプリンタの概略を示す斜視図、図２はインクジェットプリンタの概略を示す側断面図である。
【００２１】
図示のインクジェットプリンタ１００は、被液体噴射材の一例である被記録材Ｐ（以下単に用紙Ｐともいう。）を積重可能な給送用カセット２が前面下方に着脱可能に配設され、給送用カセット２から給送された用紙Ｐに記録が実行されて後部上方に位置する排出用スタッカ５０上に記録後の用紙Ｐが排出される構成のインクジェットプリンタである。
【００２２】
給送用カセット２の内部には、給送用カセット２内に積重された用紙Ｐを自動給送するための「自動給送手段」を構成するホッパ１６が揺動軸１７を揺動支点として揺動自在に配設されている。ホッパ１６は給送時には、縮設された押上げバネＢの付勢力によって上方に揺動し、ホッパ１６によって積重されている用紙Ｐの最上位の用紙Ｐが給送用カセット２の奥部上方に配設されているピックアップローラ４に対して圧設される。そしてピックアップローラ４の回転によって最上位の用紙Ｐは給送用カセット２内から引き出され、プリンタ本体３の内部に配設されている給送用ローラ１４及びリタードローラ１５に向けて用紙搬送方向Ａへ送り出される。
【００２３】
給送用ローラ１４とリタードローラ１５は、上記ホッパ１６と共に「自動給送手段」を構成している。このうち給送用ローラ１４は、図示しない駆動モータからの回転駆動力が伝達されて給送回転方向ＡＦに駆動回転する。一方、リタードローラ１５は一定の回転抵抗を有する状態で従動回転可能に軸支されて上記給送用ローラ１４へ圧接されている。そしてピックアップローラ４の回転によって給送用カセット２内から引き出された用紙Ｐは、給送用ローラ１４とリタードローラ１５との間に挟持された状態で給送用ローラ１４の給送回転方向ＡＦへの駆動回転により搬送用駆動ローラ１９ａ及び搬送用従動ローラ１９ｂとによって構成される搬送用ローラ１９へ向けて給送される。  
また上記リタードローラ１５の回転抵抗は給送用ローラ１４の周面の摩擦抵抗より小さく、かつ重送される用紙Ｐ間の摩擦抵抗より大きくなるように設定されている。
【００２４】
給送された用紙Ｐは、搬送用駆動ローラ１９ａと搬送用従動ローラ１９ｂとの間に挟持された状態で搬送用駆動ローラ１９ａの駆動回転によって主走査方向Ｘと直交する副走査方向Ｙへ所定の搬送量で搬送される。このうち搬送用従動ローラ１９ｂは複数個設けられており、個々にローラホルダ１８によって従動回転可能に軸支されている。またローラホルダ１８は図示しない付勢手段からの付勢力を常時受けており、これにより搬送用従動ローラ１９ｂは常に搬送用駆動ローラ１９ａに圧接したニップ状態が保たれている。
【００２５】
搬送用ローラ１９によって挟圧された状態で搬送される用紙Ｐは搬送用従動ローラ１９ｂの近傍、用紙搬送方向Ａ下流側に位置する補助押えローラ５及び押え板６によって上方から押圧され、浮き上がりが防止された状態で記録ヘッド１３下方の記録ポジション２６に導かれる。記録ポジション２６に導かれた用紙Ｐは、検出装置（図示せず）によって用紙Ｐの通過タイミング等が検出され、記録が開始され、キャリッジ１０及び用紙Ｐの動作によって用紙Ｐの記録面のほぼ全面に亘って所望の記録が実行される。
【００２６】
そして、該キャリッジ１０には用紙Ｐ等に液体の一例であるインクを吐出（噴射）して記録を行う液体噴射ヘッドの一例である記録ヘッド１３が搭載されている。またプリンタ本体３内の上部スペースには液体カートリッジの一例であるインクカートリッジＣが設けられており、インクカートリッジＣ内のインクは図示しないインク供給手段によって図示しないインクチューブを経てキャリッジ１０内に導かれる。またキャリッジ１０には、主走査方向Ｘの両端部に設けられるプーリ間に巻回される無端ベルト１１が接続されており、図示しないモータからの駆動力を受けてキャリッジ１０は主走査方向Ｘに往復動し得るようになっている。
【００２７】
記録ヘッド１３の下方には、記録ヘッド１３と対向して記録ヘッド１３のヘッド面と用紙Ｐ等との間のギャップＰＧを規定するプラテン２８が設けられている。尚、上記ギャップＰＧは高精度の記録を実行する上で極めて重要な要素となっており、用紙Ｐの厚さの変化に応じて適宜調節されるようになっている。そしてキャリッジ１０とプラテン２８との間に用紙Ｐ等を副走査方向Ｙに所定の搬送量で搬送する動作と、記録ヘッド１３を主走査方向Ｘに一往復させる間に記録ヘッド１３から用紙Ｐ等にインクを噴射する動作とを交互に繰り返すことによって用紙Ｐ等に記録が行なわれる。
【００２８】
記録ヘッド１３の用紙搬送方向Ａの下流には排出用駆動ローラ２０ａと排出用ギザローラ２０ｂとによって構成される被液体噴射材排出手段の一例である排出用ローラ２０が設けられ、この排出用ローラ２０によって排出された用紙Ｐは更に下流に位置する被液体噴射材受け部の一例である排出用スタッカ５０上の載置面５１に排出されるようになっている。
【００２９】
排出用ギザローラ２０ｂは、その外周に複数の歯を有する歯付きローラであり、排出用ギザローラ用の図示しないローラホルダによって自由回転可能に軸支されている。排出用ギザローラ２０ｂの上流には補助ギザローラ２２が設けられ、用紙Ｐは該補助ギザローラ２２によってやや下方に押し付けられるようになっている。また搬送用従動ローラ１９ｂは搬送用駆動ローラ１９ａよりその軸芯位置がやや下流側に配設されていて、更に排出用ギザローラ２０ｂは排出用駆動ローラ２０ａよりその軸芯位置がやや上流側に配設されている。
【００３０】
このような構成によって用紙Ｐは搬送用ローラ１９と排出用ローラ２０との間において僅かに下に凸となる俗に「逆ぞり」と呼ばれている湾曲状態となり、記録ヘッド１３に対向する位置にある用紙Ｐはプラテン２８に押し付けられ、これにより用紙Ｐの浮き上がりが防止され、正常に記録が実行されるようになっている。尚、補助ギザローラ２２は排出用ギザローラ２０ｂと同様に歯付きローラから構成されており、図示しない補助ギザローラ用のローラホルダに軸支されている。
【００３１】
［実施例］
次に、このようなインクジェットプリンタ１００に対して適用される本願発明に係る被記録材の取出し装置について説明する。図３は被記録材の取出し装置周辺を拡大して示す平面図、図４は搬送時の被記録材の取出し装置周辺を拡大して示す側断面図である。図５は搬送停止時の被記録材の取出し装置周辺を拡大して示す側断面図、図６は同上、斜視図である。また図７は蓋部によって操作ノブが被覆された状態を示すインクジェットプリンタ背面側からの斜視図、図８は蓋部を取り外した状態を示すインクジェットプリンタ背面側からの斜視図である。
【００３２】
被記録材の取出し装置１は、用紙Ｐが搬送トラブルによって搬送経路内で停止し、紙詰まりを起こした場合において、手動操作によって当該用紙Ｐを外部に排出したい場合に使用される。具体的には搬送用駆動ローラ１９ａの回転を歯車輪列３０を介して排出用ローラ２０に伝達する動力伝達機構３１を利用し、更に所定の方向に回転させた場合にのみ動力伝達機構３１に力が伝達される操作ノブ３２と、操作ノブ３２の回転を動力伝達機構３１に伝える遊星機構３３とを備えることによって構成されている。
【００３３】
動力伝達機構３１は、駆動源であるモータ３４からの動力を受け、モータ３４の出力軸に取り付けられるモータプーリ３５からこれに巻回される駆動伝達ベルト３６を介して駆動伝達ベルト３６に巻回される搬送用伝達ギヤ３７に動力を伝達し、更に搬送用伝達ギヤ３７と噛み合う搬送用駆動ギヤ３８と同軸の搬送用駆動ローラ１９ａを回転させる。また搬送用駆動ローラ１９ａの回転は、複数の歯車によって構成される歯車輪列３０に伝達され、歯車輪列３０の終端に位置する排出用伝達ギヤ３９からこれに噛み合う排出用駆動ギヤ４０を介して排出用駆動ギヤ４０と同軸の排出用駆動ローラ２０ａを回転させる。
【００３４】
操作ノブ３２は、図８に示すようにプリンタ本体３の背面側に設けられており、常時は図７に示すように排出ユニット５０と一体の蓋部５２によって被覆されている。操作ノブ３２は、操作性を考慮して比較的、径が大きく、その周面には指の腹を当てて操作ノブ３２を回転させる場合の指掛かりとなる凹凸加工が施されている。また操作ノブ３２は、回転軸４１を回転中心として上下２方向に自由に回転し得るように構成されているが、次に述べる遊星機構３３の作用によって、所定の方向に回転させた場合にのみ動力伝達機構３１に力が伝達されるようになっている。
【００３５】
遊星機構３３は、操作ノブ３２の回転軸４１に操作ノブ３２と一体に回転するように設けられる取出し駆動ギヤ４２と、操作ノブ３２の回転軸４１に対して嵌合し、所定の圧接力が付加された状態で回動する回動アーム４３と、回動アーム４３の自由端側において、遊転自在に設けられる遊星ギヤ４４とを備えている。尚、遊星ギヤ４４は取出し駆動ギヤ４２に対しては常時噛み合い、動力伝達機構３１に対しては搬送動作時と、搬送停止時とで非接続、接続状態をそれぞれ切り換えるように構成されている。
【００３６】
次に、このようにして構成される被記録材の取出し装置１の作動態様を（１）搬送動作時と（２）搬送停止時とに分けて説明する。  
（１）搬送動作時（図４、７参照）
搬送動作時には、モータ３４からの動力を受けてモータプーリ３５、駆動伝達ベルト３６、搬送用伝達ギヤ３７及び搬送用駆動ギヤ３８を介して搬送用駆動ローラ１９ａに動力が伝達され、更に歯車輪列３０、その終端の排出用伝達ギヤ３９及び排出用駆動ギヤ４０を介して排出用駆動ローラ２０ａに動力が伝達され、搬送用ローラ１９に供給された用紙Ｐは記録ポジション２６に導かれ、記録ヘッド１３による所望の記録が実行された後、排出用ローラ２０によって排出用スタッカ５０に向けて排出される。
【００３７】
尚、この際、排出用伝達ギヤ３９に対して遊星ギヤ４４が当初噛み合っていても、排出用伝達ギヤ３９からの回転力を受けて回動アーム４３は排出用伝達ギヤ３９から離反する方向（図４において時計方向）に回動する。これに伴い、遊星ギヤ４４も排出用伝達ギヤ３９との噛み合い状態が解除されるから、動力伝達機構３１には余分な負荷は掛からず、円滑な用紙Ｐの搬送が実行される。また、操作ノブ３２の軸上に所定の圧接力を付加することで、遊星回転アーム４３の自重による回転モーメントによって、操作ノブ３２の姿勢が不安定になるのを防止することが可能となり、もって搬送動作時の異音発生を防止することができる。更に搬送動作時には、図７に示すように操作ノブ３２は蓋部５２によって被覆されているから誤って操作ノブ３２が操作される事態も回避されている。
【００３８】
（２）搬送停止時（図５、６、８参照）
紙詰まり等が起きて用紙Ｐの搬送が停止した場合には、モータ３４が停止して動力伝達機構３１への動力伝達も停止される。そして搬送経路中の用紙Ｐを取り出すには、図８に示すように排出ユニット５０を取り外して蓋部５２によって被覆されていた操作ノブ３２を操作できる露出状態とする。
【００３９】
次に、操作ノブ３２の凹凸加工が施された周面に指の腹を当てて操作ノブ３２を所定の方向（図５において反時計方向）に回転させる。操作ノブ３２が回転すると操作ノブ３２の回転軸４１に対して回動アーム４３も同方向に回動するようになって、その自由端に所定の圧接力によって取り付けられている遊星ギヤ４４を排出用伝達ギヤ３９に噛み合せる。
【００４０】
この状態で操作ノブ３２を更に同方向に回転させると、操作ノブ３２と一体の取出し駆動ギヤ４２及び遊星ギヤ４４を介して排出用伝達ギヤ３９に回転が伝達され、更に排出用駆動ギヤ４０を介して排出用駆動ローラ２０ａを回転させ、また歯車輪列３０及び搬送用伝達ギア３７を介して搬送用ローラ１９を回転させ、搬送経路内で停止していた用紙Ｐを外部に排出させる。尚、操作ノブ３２を逆方向に回転させることも可能であるが、その場合には回動アーム４３は図５中、時計方向に回動するため、遊星ギヤ４４と排出用伝達ギヤ３９は依然として離反し、非接続状態を保っているから動力伝達機構３１には操作ノブ３２からの力は伝達されない。
【００４１】
［他の実施例］
本願発明に係る被記録材の取出し装置及び該取出し装置を備えた記録装置等は、以上述べたような構成を基本とするものであるが、本願発明の要旨を逸脱しない範囲内の部分的構成の変更や省略等を行なうことも勿論可能である。例えば、操作ノブ３２は、プリンタ本体３の後部上面等、他の部位に設けることも可能である。また操作ノブ３２を被覆する蓋部５２は、必ずしも排出用スタッカ５０と一体でなくてもよく、排出用スタッカ５０の上面を閉塞するカバー部材等、他の部材と一体に構成してもよいし、蓋部５２を単独の部材としてもよい。
【図面の簡単な説明】
【００４２】
【図１】インクジェットプリンタの概略を示す斜視図である。
【図２】インクジェットプリンタの概略を示す側断面図である。
【図３】被記録材の取出し装置周辺を拡大して示す平面図である。
【図４】搬送動作時の被記録材の取出し装置を示す側断面図である。
【図５】搬送停止時の被記録材の取出し装置を示す側断面図である。
【図６】搬送停止時の被記録材の取出し装置を示す斜視図である。
【図７】操作ノブが被覆された状態を示すインクジェットプリンタ背面側からの斜視図。
【図８】操作ノブが露出された状態を示すインクジェットプリンタ背面側からの斜視図。
【符号の説明】
【００４３】
１  （被記録材の）取出し装置、２  給送用カセット、３  プリンタ本体、４  ピックアップローラ、５  補助押えローラ、６  押え板、１０  キャリッジ、１１  無端ベルト、１２  キャリッジガイド軸、１３  記録ヘッド、１４  給送用ローラ、１５  リタードローラ、１６  ホッパ、１７  揺動軸、１８  ローラホルダ（搬送用従動ローラの）、１９  搬送用ローラ、１９ａ  搬送用駆動ローラ、１９ｂ  搬送用従動ローラ、２０  排出用ローラ、２０ａ  排出用駆動ローラ、２０ｂ  排出用ギザローラ、２２  補助ギザローラ、２６  記録ポジション、２８  プラテン、３０  歯車輪列、３１  動力伝達機構、３２  操作ノブ、３３  遊星機構、３４  モータ、３５  モータプーリ、３６  駆動伝達ベルト、３７  搬送用伝達ギヤ、３８  搬送用駆動ギヤ、３９  排出用伝達ギヤ、４０  排出用駆動ギヤ、４１  回転軸、４２  取出し駆動ギヤ、４３  回動アーム、４４  遊星ギヤ、５０  排出ユニット、５１  載置面、５２  蓋部、１００  インクジェットプリンタ（記録装置）、Ｐ  用紙（被記録材）、ＰＧ  （記録ヘッドと被記録材との間の）ギャップ、Ｘ  主走査方向、Ｙ  副走査方向、Ｂ  押上げバネ、Ａ  用紙搬送方向、ＡＦ  給送回転方向、ＲＲ  戻し回転方向
【図１】
2005212944.tif 000003
【図２】
2005212944.tif 000004
【図３】
2005212944.tif 000005
【図４】
2005212944.tif 000006
【図５】
2005212944.tif 000007
【図６】
2005212944.tif 000008
【図７】
2005212944.tif 000009
【図８】
2005212944.tif 000010